(57)【要約】【課題】狭額縁で表示品質の高い表示装置を提供すること。【解決手段】  本発明にかかる液晶表示装置は、表示領域１０と、額縁領域９とが設けられた液晶パネル１と、表示領域内に設けられた複数のゲート配線１４０ａ、１４０ｂと、ゲート配線１４０と交差する複数のソース配線１３０とを備え、ゲートドライバＩＣ１４とソースドライバＩＣ１３とが、液晶パネル１の同じ辺に配置されている表示装置であって、表示領域１０が、第１のゲート配線１４０ａに対応する第１の領域１０ａと、ゲート配線１４０ｂと対応し、第１の領域１０ａよりも下側に配置された第２の領域１０ｂとを有し、第２の引回し配線１４１ｂ群と絶縁膜を介して交差し、第１の引回し配線１４１ａ群と前記第２の引回し配線群との配線容量の差を低減する交差電極１５ｃとを備えている。【選択図】図２
2010079314.tif 000002
【特許請求の範囲】
【請求項１】
表示領域と、前記表示領域の周辺に配置された額縁領域とが設けられた表示パネルと、
前記表示領域内に設けられた複数の走査線と、
前記表示領域内において、前記走査線と交差する複数の信号線と、
前記走査線に走査電圧を供給する走査線駆動回路と、
前記信号線に画像電圧を供給する信号線駆動回路とを備え、
前記走査線駆動回路と前記信号線駆動回路とが、前記表示パネルの同じ辺に配置されている表示装置であって、
前記表示領域が、
前記複数の走査線の一部である第１の走査線群に対応する第１の領域と、
前記複数の走査線の一部であり、前記第１の走査線群とは異なる第２の走査線群に対応する第２の領域とを有し、
前記信号線駆動回路が配置された表示パネルの辺と隣の辺に延設され、前記走査線駆動回路と前記第１の走査線群とを接続する第１の引回し配線群と、
前記表示パネルの前記第１の引回し配線が設けられた辺と対向する辺の端部に設けられ、前記走査線駆動回路と前記第２の走査線群とを接続する第２の引回し配線群と、
前記第２の引回し配線群と絶縁膜を介して交差し、前記第１の引回し配線群と前記第２の引回し配線群との配線容量の差を低減する交差電極とを備える表示装置。
【請求項２】
前記第１の引回し配線群が前記表示パネルの前記信号線駆動回路が配置された辺の額縁領域において前記信号線と交差する請求項１記載の表示装置。
【請求項３】
表示領域と、前記表示領域の周辺に配置された額縁領域とが設けられた表示パネルと、
前記表示領域内に設けられた複数の走査線と、
前記表示領域内において、前記走査線と絶縁膜を介して交差する複数の信号線と、
前記走査線に走査電圧を供給する走査線駆動回路と、
前記信号線に画像電圧を供給する信号線駆動回路とを備え、
前記走査線駆動回路と前記信号線駆動回路とが、前記表示パネルの同じ辺に配置されている表示装置であって、
前記表示領域が、
前記複数の信号線の一部である第１の信号線群に対応する第１の領域と、
前記複数の信号線の一部であり、前記第１の走査線群とは異なる第２の信号線群と対応する第２の領域とを有し、
前記走査線駆動回路が配置された表示パネルの辺と隣の辺に延設され、前記信号線駆動回路と前記第１の信号線群とを接続する第１の引回し配線群と、
前記表示パネルの前記第１の引回し配線が設けられた辺と対向する辺の端部に設けられ、前記信号線駆動回路と前記第２の信号線群とを接続する第２の引回し配線群と、
前記第２の引回し配線群と絶縁膜を介して交差し、前記第１の引回し配線群と前記第２の引回し配線群との配線容量の差を低減する交差電極とを備える表示装置。
【請求項４】
前記第１の引回し配線群が前記表示パネルの前記走査線駆動回路が配置された辺の額縁領域において前記走査線と交差する請求項３記載の表示装置。
【請求項５】
前記交差電極が前記走査線の間に配置された複数の共通配線を接続する引出し配線の一部を延在することにより形成されている請求項１乃至４いずれかに記載の表示装置。
【請求項６】
前記交差電極が前記走査線駆動回路又は前記信号線駆動回路の前記電源を駆動するためのグランド配線を延在することにより形成されている請求項１乃至５いずれかに記載の表示装置。
【発明の詳細な説明】
【技術分野】
【０００１】
本発明は表示装置に関する。
【背景技術】
【０００２】
パーソナルコンピュータ、携帯電話その他各種モニタ用の画像表示装置として、液晶表示装置の普及は目覚しいものがある。典型的な液晶表示装置の一つは、液晶表示パネルと、その背面に配置されたバックライト・ユニットとを有する。液晶表示パネルは、バックライト・ユニットからの透過光を制御することにより、画像表示を行う。液晶表示パネルは、マトリクス状に配置された複数の画像信号線（ソース配線）と複数の走査線（ゲート配線）を有する。液晶表示パネルにおいて、複数の画素が、画像信号線と走査線の各交点に対応して形成されている。画像信号線は画像信号線駆動回路（ソースドライバＩＣ）によって駆動され、走査線は走査線駆動回路（ゲートドライバＩＣ）によって駆動される。画像信号線駆動回路及び走査線駆動回路は、表示制御回路からの表示信号及び制御信号に従って、液晶パネルを駆動する。
【０００３】
通常、走査線駆動回路と画像信号線駆動回路とは液晶表示パネルの隣接する２辺において、基板端部に接続される。すなわち、走査線駆動回路と画像信号線駆動回路とは液晶パネルの異なる辺に設けられる。
【０００４】
近年、液晶表示装置は高精細化、狭額縁化の要求が高まっている。従って、液晶表示装置では、配線本数が増加するとともに、駆動回路からの引回し配線を形成するためのスペースが小さくなっている。これにより、駆動回路から表示領域までの引回し配線の配線幅が狭くなってしまう。配線幅が狭くなると配線長の違いによって、配線抵抗に差が生じ易くなる。この配線抵抗の差によって、駆動回路からの出力波形に歪み量が配線毎に差を生じ、表示ムラが生じるという問題点があった。このような表示ムラの問題を解決するため、シール部の外側で配線幅を補正して、配線長の違いによる配線抵抗を均一化する液晶表示素子が開示されている（特許文献１）。
【０００５】
ところで、狭額縁化の要求により、駆動回路を配置するスペースが制限されることがある。すなわち、表示パネルの外形に対して、表示領域を大きくとるため、額縁領域の幅が狭くなり、駆動回路を設けるためのスペースが制限されることがある。このスペースの制限は特に、携帯電話等の小型の液晶表示装置に対して、より厳しくなっている。例えば、携帯電話においては、横方向の額縁領域の幅は制限が厳しく、縦方向の額縁領域の幅に対しては制限が厳しくないことがある。この場合、液晶パネルの横に駆動回路が配置できないおそれがある。表示領域における横方向又は縦方向のスペースが制限されている場合、駆動回路を液晶パネルの隣接する２辺に配置することできないおそれがある。
【０００６】
この課題を解決するためゲートドライバＩＣとソースドライバＩＣとを液晶パネルの1辺に沿って配置する液晶表示装置が開示されている（特許文献２）。しかしながら、この液晶表示装置では駆動回路が液晶パネルの端部に配置されている。そのため、駆動回路側の端部から反対側の端部まで配線を引回す必要がある。額縁領域の幅が広くなり、狭額縁化が制限されるという問題点があった。
【０００７】
さらに、それぞれのゲート配線で伝送距離が異なり、ゲート配線の配線長の差が大きくなってしまう。配線長の差により、配線抵抗に差が生じてしまう。そのため、従来の液晶表示装置では、駆動回路からの出力波形に歪み量が配線毎に異なり、表示ムラが生じるおそれがあった。従って、非表示領域が狭い狭額縁の液晶表示パネルでは、配線抵抗の差によって表示ムラが生じ、表示品質が低下してしまうといった問題点があった。
【０００８】
【特許文献１】特開平７−１０１２１４号公報
【特許文献２】特開２００３−２０２５８６号公報
【発明の概要】
【発明が解決しようとする課題】
【０００９】
上述のように従来の液晶表示装置では、狭額縁の液晶パネルでは表示品質が低下してしまうという問題点があった。
【００１０】
本発明はこのような問題点に鑑みてなされたものであり、本発明は狭額縁で表示品質の優れた表示装置を提供することを目的とする。
【課題を解決するための手段】
【００１１】
本発明の一態様にかかる表示装置は、表示領域と、前記表示領域の周辺に配置された額縁領域とが設けられた表示パネルと、前記表示領域内に設けられた複数の走査線と、前記表示領域内において、前記走査線と交差する複数の信号線と、前記走査線に走査電圧を供給する走査線駆動回路と、前記信号線に画像電圧を供給する信号線駆動回路とを備え、前記走査線駆動回路と前記信号線駆動回路とが、前記表示パネルの同じ辺に配置されている表示装置であって、前記表示領域が、前記複数の走査線の一部である第１の走査線群に対応する第１の領域と、前記複数の走査線の一部であり、前記第１の走査線群とは異なる第２の走査線群に対応する第２の領域とを有し、前記信号線駆動回路が配置された表示パネルの辺と隣の辺に延設され、前記走査線駆動回路と前記第１の走査線群とを接続する第１の引回し配線群と、前記表示パネルの前記第１の引回し配線が設けられた辺と対向する辺の端部に設けられ、前記走査線駆動回路と前記第２の走査線群とを接続する第２の引回し配線群と、前記第２の引回し配線群と絶縁膜を介して交差し、前記第１の引回し配線群と前記第２の引回し配線群との配線容量の差を低減する交差電極（例えば、本発明の実施の形態にかかる交差電極１５ｃ）とを備えるものである。
【００１２】
本発明の他の態様にかかる表示装置は、表示領域と、前記表示領域の周辺に配置された額縁領域とが設けられた表示パネルと、前記表示領域内に設けられた複数の走査線と、前記表示領域内において、前記走査線と絶縁膜を介して交差する複数の信号線と、前記走査線に走査電圧を供給する走査線駆動回路と、前記信号線に画像電圧を供給する信号線駆動回路とを備え、前記走査線駆動回路と前記信号線駆動回路とが、前記表示パネルの同じ辺に配置されている表示装置であって、前記表示領域が、前記複数の信号線の一部である第１の信号線群に対応する第１の領域と、前記複数の信号線の一部であり、前記第１の走査線群とは異なる第２の信号線群と対応する第２の領域とを有し、前記走査線駆動回路が配置された表示パネルの辺と隣の辺に延設され、前記信号線駆動回路と前記第１の信号線群とを接続する第１の引回し配線群と、前記表示パネルの前記第１の引回し配線が設けられた辺と対向する辺の端部に設けられ、前記信号線駆動回路と前記第２の信号線群とを接続する第２の引回し配線群と、前記第２の引回し配線群と絶縁膜を介して交差し、前記第１の引回し配線群と前記第２の引回し配線群との配線容量の差を低減する交差電極とを備えるものである。
【発明の効果】
【００１３】
本発明によれば、狭額縁で表示品質の優れた表示装置を提供することができる。
【図面の簡単な説明】
【００１４】
【図１】本発明の実施の形態１にかかる液晶表示装置の構成を示す図である。
【図２】本発明の実施の形態２にかかる液晶表示装置の構成を示す図である。
【発明を実施するための形態】
【００１５】
以下に、本発明を適用可能な実施の形態が説明される。以下の説明は、本発明の実施形態を説明するものであり、本発明が以下の実施形態に限定されるものではない。説明の明確化のため、以下の記載及び図面は、適宜、省略及び簡略化がなされている。又、当業者であれば、以下の実施形態の各要素を、本発明の範囲において容易に変更、追加、変換することが可能である。
【００１６】
発明の実施の形態１．
本実施の形態にかかる液晶表示装置について図１を用いて説明する。図１は、本実施の形態にかかる液晶表示装置に用いられる液晶パネルを模式的に示す図である。図１において、１は液晶パネル、８はアレイ基板、９は液晶パネルの額縁領域、１０は液晶パネルの表示領域、１１は制御回路、１３はソースドライバＩＣ、１４はゲートドライバＩＣ、１６は境界線、１７はソースドライバＩＣ１３側の基板端部、１８はゲートドライバＩＣ１４側の基板端部、１３０はソース配線、１４０はゲート配線、１４１は引回し配線である。
【００１７】
液晶パネル１は、典型的には、マトリックス状に配置された複数の画素から構成される表示領域１０と、その外周領域である額縁領域９とを有している。すなわち、表示領域１０の外周を囲む非表示領域が額縁領域９となる。又、液晶パネル１は、アレイ回路が形成されたアレイ基板８とその対向基板とを有し、その２つの基板の間に液晶が封入されている。なお、図１では対向基板について省略して図示している。アクティブマトリックス・タイプの液晶パネルは、各画素が表示信号の入出力を制御するスイッチング素子を備えている。典型的なスイッチング素子は、ＴＦＴ（Thin Film Transistor）である。
【００１８】
カラー液晶表示装置は、対向基板上にＲＧＢのカラー・フィルター層を有している。液晶パネル１の表示領域内の各画素は、ＲＧＢいずれかの色表示を行う。もちろん、白黒ディスプレイにおいては、白と黒のいずれかの表示を行う。透明なガラス基板に所定のパターンを形成することにより、アレイ基板８及び対向基板が形成される。この液晶パネル１の背面にはバックライト・ユニットが配設される。
【００１９】
表示領域１０内においてアレイ基板８上には、複数のソース配線１３０と複数のゲート配線１４０がマトリックス状に配設されている。表示領域１０において、ソース配線１３０のそれぞれはＹ方向に沿って形成されている。Ｙ方向に形成されたソース配線１３０はＸ方向に並んで複数配置される。表示領域１０において、同じ幅のソース配線１３０が同じ間隔で形成されている。一方、表示領域１０において、ゲート配線１４０のそれぞれはＸ方向に形成されている。Ｙ方向に形成されたゲート配線１４０はＸ方向に並んで複数配置される。表示領域１０において、同じ幅のゲート配線１４０が同じ間隔で形成されている。
【００２０】
ソース配線１３０とゲート配線１４０とは絶縁膜を介してお互いにほぼ直角に重なるように配設され、交差点近傍にＴＦＴが配置される。ゲートドライバＩＣ１４から入力されるゲート電圧によって選択された各画素は、ソースドライバＩＣ１３から入力される画像表示信号電圧に基づき液晶に電界を印加する。ソース配線１３０に画像表示信号電圧を供給するソースドライバＩＣ１３とゲート配線１４０にゲート電圧を供給するゲートドライバＩＣ１４は表示領域の外周に設けられたアレイ基板８の額縁領域９に接続される。
【００２１】
携帯電話などの外部装置から、画像データ／制御信号が制御回路１１に入力される。制御回路１１は、画像データをフレーム・メモリ（図示せず）に転送する。ＤＲＡＭ、ＳＤＲＡＭ、ＤＤＲ等から構成されたフレーム・メモリは、この転送された画像データを一時的に格納する。制御回路１１は、フレーム・メモリに一時的に記憶された過去の画像データを使用して現在の画像データの加工処理を行う。加工処理された画像データは、液晶パネル１に伝送される。
【００２２】
制御回路１１は、ソースドライバＩＣ１３、ゲートドライバＩＣ１４を動作させるため、画像データ／制御信号をソースドライバＩＣ１３に出力し、制御信号をゲートドライバＩＣ１４に出力する。制御回路１１は例えば、ＦＰＣ（Ｆｌｅｘｉｂｌｅ  Ｐｒｉｎｔｅｄ  Ｃｉｒｃｕｉｔ）を介して液晶パネル１と接続される。ゲートドライバＩＣ１４は制御信号を走査電圧に変換して、液晶パネル１上のゲート配線１４０に出力する。そして、階調電圧を印加する画素ラインを選択状態にする。ソースドライバＩＣ１３は、１水平ライン分の画素について転送された画像データを階調電圧に変換し、制御信号に基づいて液晶パネル１上のソース配線１３０に出力する。上記動作がライン毎に順次行われることによって、１フレーム分の画像データに対応した階調電圧が液晶パネル１の各画素に印加され、液晶パネル１の画面上に画像が表示される。尚、本発明は、上記以外の様々なタイプの液晶表示装置、あるいは、有機ＥＬ表示装置、無機ＥＬ表示装置などの他の表示装置にも適用することができる。
【００２３】
本発明ではゲートドライバＩＣ１４とソースドライバＩＣ１３とがアレイ基板８の同じ辺の端部に配置されている。すなわち、矩形に設けられた表示領域１０のＸ方向の１辺に対向してソースドライバＩＣ１３とゲートドライバＩＣ１４とが並設されている。換言すれば、ソースドライバＩＣ１３とゲートドライバＩＣ１４とがアレイ基板８の一辺に集中して配置されている。ソースドライバＩＣ１３とゲートドライバＩＣ１４はＸ方向に沿って配置され、表示領域１０と対向する位置で接続されている。ソースドライバＩＣ１３とゲートドライバＩＣ１４との出力端子は表示領域１０側に配設されている。
【００２４】
これにより、ソースドライバＩＣ１３とゲートドライバＩＣ１４が配置された辺と隣の辺にドライバＩＣを配置させることが不要になる。すなわち、ソースドライバＩＣ１３側の基板端部１７とゲートドライバＩＣ１４側の基板端部１８にドライバＩＣを接続しなくてもよくなる。このため、Ｘ方向の額縁領域を狭くすることができる。なお、図ではアレイ基板８上にソースドライバＩＣ１３とゲートドライバＩＣ１４が載置されるＣＯＧ（Ｃｈｉｐ  Ｏｎ  Ｇｌａｓｓ）タイプの液晶表示装置を示している。ＣＯＧタイプである場合、ＡＣＦを介してアレイ基板８の端部に直接接続される。もちろん、ＣＯＧタイプ以外の液晶表示装置でもよい。例えば、ＴＣＰを用いる場合、ソースドライバＩＣ１３を実装したＴＣＰとゲートドライバＩＣ１４を実装したＴＣＰとがアレイ基板８の１辺に接続される。ソースドライバＩＣ１３とゲートドライバＩＣ１４とは表示領域１０に対応する位置の内側に配置する。これにより、表示領域１０の幅よりも内側にドライバＩＣが配置され、額縁領域９のＸ方向の幅を狭くすることができる。
【００２５】
なお、以降の説明において、Ｙ方向を上下方向とし、Ｘ方向を左右方向とする。上下方向において、ソースドライバＩＣ１３及びゲートドライバＩＣ１４が設けられている基板端部側を下側とし、ソースドライバＩＣ１３及びゲートドライバＩＣ１４が設けられている基板端部と反対側を上側とする。左右方向においてソースドライバＩＣ１３側の基板端部１７側を左側とし、ゲートドライバＩＣ１４側の基板端部１８側を右側とする。
【００２６】
ここで表示領域１０を一点鎖線で示された境界線１６で分割された第１の領域１０ａと第２の領域１０ｂとに分けて説明する。境界線１６はＸ方向と平行な方向に設けられている。第２の領域１０ｂは表示領域１０におけるゲートドライバＩＣ１４及びソースドライバＩＣ１３の近傍の領域である。第１の領域１０ａは第２の領域１０ｂよりもゲートドライバＩＣ１４及びソースドライバＩＣ１３から離れた領域である。表示領域１０において境界線１６より上側が第１の領域１０ａとなり、境界線１６より下側が第２の領域１０ｂとなる。
【００２７】
表示領域１０に形成されたゲート配線１４０のうち、第１の領域１０ａに設けられているゲート配線をゲート配線１４０ａとする。一方、表示領域１０に形成されたゲート配線１４０のうち、第２の領域に設けられているゲート配線をゲート配線１４０ｂとする。すなわち、複数のゲート配線１４０のうち、境界線１６よりも下側に配置されている配線群のそれぞれをゲート配線１４０ｂとし、境界線１６よりも上側に配置されている配線群のそれぞれをゲート配線１４０ａとする。ゲート配線１４０ａに対応した第１の領域１０ａとゲート配線１４０ｂに対応した第２の領域１０ｂとは上下方向に隣接して配置され、境界線１６によって区切られている。第１の領域１０ａは全てのゲート配線１４０ａに対応する画素により構成され、第２の領域１０ｂは全てゲート配線１４０ｂに対応する画素により構成される。ソース配線１３０のそれぞれは境界線１６を横切って、第１の領域１０ａ及び第２の領域１０ｂに形成されている。ゲート配線１４０ａとゲート配線１４０ｂとは、複数のゲート配線１４０においてそれぞれ異なる配線である。
【００２８】
なお、第１の領域１０ａと第２の領域１０ｂとが同じ面積となるように、表示領域１０の中央に境界線１６が設けることが望ましい。これにより、第１の領域１０ａ及び第２の領域１０ｂに形成されているゲート配線の本数が、同じとなる。第１の領域１０ａ及び第２の領域１０ｂに形成されているゲート配線の本数は全体のゲート配線本数の半分となる。これにより、左右の額縁領域９を略同じ幅とすることができ、狭額縁化を図ることができる。これはＸ方向の額縁領域９が制限されている場合に好適である。
【００２９】
額縁領域９にはゲート配線１４０ａとゲートドライバＩＣ１４とを接続する引回し配線１４１ａ及びゲート配線１４０ｂとゲートドライバＩＣ１４とを接続する引回し配線１４１ｂが形成されている。ゲートドライバＩＣ１４からの信号は引回し配線１４１ａを介してゲート配線１４０ａに入力され、ゲートドライバＩＣ１４からの信号は引回し配線１４１ｂを介してゲート配線１４０ｂに入力される。引回し配線１４１ａは複数設けられ、複数のゲート配線１４０ａとそれぞれ対応して接続されている。引回し配線１４１ｂは複数設けられ、複数のゲート配線１４０ｂとそれぞれ対応して接続されている。
【００３０】
ここで、ゲート配線１４０ａに対する引回し配線１４１ａはソースドライバＩＣ側（左側）の基板端部１７に形成されている。一方、ゲート配線１４０ｂに対する引回し配線１４１ｂはゲートドライバＩＣ１４側（右側）の基板端部１８に形成されている。すなわち、表示領域１０の左側に引回し配線１４１ａが形成され、表示領域１０の右側に引回し配線１４１ｂが形成されている。引回し配線１４１ａと引回し配線１４１ｂとが表示領域１０を挟むよう形成されている。ゲート配線１４０ａはソースドライバＩＣ１３側の基板端部１７から信号が供給され、ゲート配線１４０ｂはゲートドライバＩＣ１４側の基板端部１８から信号が供給される。引回し配線１４１ａ及び引回し配線１４１ｂは例えば、ゲート配線１４０ａと同じ層の金属膜で形成される。従って、ゲート配線１４０と引回し配線１４１とは別々の配線として説明されているが、実際には１本の配線として形成されている。
【００３１】
ここで、第１の領域１０ａは境界線１６よりも上側に配置されるため、引回し配線１４１ａは引回し配線１４１ｂよりも信号の伝送距離が長くなる。すなわち、第１の領域１０ａと第２の領域１０ｂとではゲートドライバＩＣ１４からの距離が異なるため、伝送距離に差が生じてしまう。本実施の形態では伝送距離の違いによる各ゲート配線の配線遅延差を防ぐため、引回し配線１４１ｂに折返し部１９を形成している。すなわち、ゲートドライバＩＣ１４からの距離がゲート配線１４０ａよりも短くなるゲート配線１４０ｂに接続するための引回し配線１４１ｂを、境界線１６を越えて第１の領域１０ａに対応する位置まで延在させている。そして、延在させた位置から第２の領域１０ｂに配置された所定のゲート配線１４０ｂに接続されるよう、引回し配線１４１ｂに折返し部１９を設けている。折返し部１９は境界線１６の上側である第１の領域１０ａに対応する位置に配置される。第１の領域１０ａに対応する位置まで延設された引回し配線１４１ｂが折返し形状となり、境界線１６の下側である第２の領域に対応する位置まで折り返す。折返し部はゲートドライバＩＣ１４側の基板端部１８に設けられる。
【００３２】
第２の領域１０ｂに配置されたゲート配線１４０ｂと接続される引回し配線１４１ｂが第１の領域に対応する位置（境界線１６の上側）まで迂回することにより、配線長を長くすることができる。よって、ゲート配線１４０ａとゲート配線１４０ｂとの配線抵抗差を小さくすることができ、配線遅延差を軽減することができる。なお、図１において、折返し部１０は上側の基板端部近傍に設けているが第１の領域１０ａに対応する位置（境界線１６の上側）であればよい。
【００３３】
さらに、第１の領域１０ａにおいて境界線１６に最も近いゲート配線１４０ａと第２の領域１０ｂにおいて境界線１６に最も近いゲート配線１４０ｂを略同じ配線抵抗となるよう、折返し部１９を設けることが望ましい。なお、図１には、第１の領域１０ａにおいて境界線１６に最も近いゲート配線１４０ａと第２の領域１０ｂにおいて境界線１６に最も近いゲート配線１４０ｂとが太線で示されている。第１の領域１０ａにおいて境界線１６に最も近い太線で示されたゲート配線１４０ａは第１の領域１０ａにおける最も下側のゲート配線である。第２の領域１０ｂにおいて境界線１６に最も近い太線で示されたゲート配線１４０ｂは第２の領域１０ｂにおいて最も上側のゲート配線である。
【００３４】
第１の領域１０ａと第２の領域１０ｂの境界において、ゲート配線１４０の配線抵抗に差があると、表示ムラが視認されやすくなってしまう。これを防ぐため、境界線１６を挟むよう配置された境界線１６に最も近いゲート配線１４０ａとゲート配線１４０ｂにおいて、引回し配線１４１ａと引回し配線１４１ｂとの配線長を略同じにしている。これにより境界線１６の両隣のゲート配線１４０ａとゲート配線１４０ｂの引回し配線１４１を含む配線長を同じ長さとすることができる。折返し部１９の位置を液晶パネルのサイズや境界線１６の位置等に応じて調整することにより、境界線１６に最も近いゲート配線１４０ａとゲート配線１４０ｂとの配線長を略同じにすることができる。
【００３５】
さらに、境界線１６に最も近いゲート配線１４０ａとゲート配線１４０ｂの配線抵抗を略同じにするため、境界線１６に最も近いゲート配線１４０ａとゲート配線１４０ａにおいて、引回し配線１４１ａと引回し配線１４１ｂとの配線幅を略同じ幅としている。配線幅を同じにすることにより、配線パターンの形成時におけるサイドエッチング量に対する配線抵抗の変動を同じにすることができる。
【００３６】
一般に、サイドエッチング量にばらつきがあると、細い配線幅の配線は太い配線幅の配線に比べて、配線抵抗の変動が大きくなる。例えば、異なる配線幅の配線に対して配線長を変えて同じ配線抵抗とした場合、サイドエッチングを考慮して配線幅を設計しても、サイドエッチング量にばらつきがあると、配線幅の違いに基づいて配線抵抗に差が生じてしまう。本実施の形態では折返し部１９の位置を調整することにより、境界線１６に最も近いゲート配線１４０ａとゲート配線１４０ｂとを同じ配線長にすることができる。さらに境界線１６に最も近いゲート配線１４０ａとゲート配線１４０ｂとに対応する引回し配線１４１を同じ配線幅にすることにより、境界線１６の周辺における配線抵抗差を低減することができる。これにより、サイドエッチング量に変動が生じる場合であっても、表示品質の高い液晶表示装置を提供することができる。
【００３７】
上述の構成により、基板の１辺にゲートドライバＩＣ１４及びソースドライバＩＣ１３を配置した場合であっても狭額縁化を実現することができるとともに、配線抵抗差を低減することができる。また、境界領域における配線抵抗差を低減することができる。引回し配線１４１を含む全ゲート配線１４０における配線抵抗差は、表示領域内のゲート配線１４０の配線抵抗より小さくすることが可能になる。すなわち、最も配線抵抗の高いゲート配線１４０の配線抵抗（引き回し配線１４１を含む）をＲｈ、最も配線抵抗の低いゲート配線１４０（引き回し配線１４１を含む）の配線抵抗をＲｌ、表示領域内における配線抵抗のゲート配線１４０の配線抵抗（引き回し配線１４１を含まない）をＲｄとして場合、（Ｒｈ−Ｒｌ）≦Ｒｄとすることができる。なお、表示領域１０においてはゲート配線１４０が同じ幅で形成されているため、引き回し配線１４１を含まない表示領域１０内における配線抵抗はいずれのゲート配線１４０でも略同じとなる。
【００３８】
なお、上述の説明ではゲート配線１４０の引回し配線１４１を表示領域１０の左右両側に設けたが、ソース配線１３０の引回し配線を表示領域の両側に設けてもよい。この場合、ゲートドライバＩＣ１４とソースドライバＩＣ１３とが置き換わった構成となる。
【００３９】
発明の実施の形態２．
本実施の形態にかかる液晶表示装置について図２を用いて説明する。図２は液晶表示装置に用いられる液晶パネルの構成を模式的に示す平面図である。実施の形態１と同様の構成については説明を省略する。１５は共通配線の引出し配線、１５ｃは共通配線の引出し配線の一部として形成された交差電極、２０はソース配線１３０と引回し配線１４０ａとが交差する交差部である。
【００４０】
本実施の形態では実施の形態１と異なり、液晶パネル１の引回し配線１４１ｂに折返し部が設けられていない。本実施の形態では、ゲート配線１４０において、ソース配線１３０との交差容量に生じる差に基づく配線容量差を低減するため、交差電極１５ｃを形成している。交差電極１５ｃは表示領域１０内においてゲート配線１４０と略平行に設けられた共通配線から引き出される引出し配線１５から延設されている。本実施の形態では、ゲート配線１４０において、ソース配線１３０との交差容量に生じる差に基づく配線容量差を低減するため、共通配線の幅を左右で変えている。これについて以下に説明する。
【００４１】
ゲートドライバＩＣ１４はソースドライバＩＣ１３の左側に設けられている。従って、引回し配線１４１ａはソースドライバＩＣ１３と表示領域１０との間を通って左側の基板端部１７まで引回される。ゲート配線１４０ａは交差部２０において絶縁膜を介してソース配線１３０と交差する構成となる。これにより、ゲート配線１４０ａとソース配線１３０が交差する領域では交差容量が生じる。
【００４２】
一方、ゲートドライバＩＣ１４はソースドライバＩＣ１３の左側に設けられているため、引出し配線１４１ｂはソース配線１３０と交差せずに右側の基板端部まで引回される。このため、引出し配線１４１ａと引出し配線１４１とに配線容量に差が生じる。すなわち、額縁領域９においてソース配線１３０との交差面積が大きい引出し配線１４１ｂは引出し配線１４１ａよりも配線容量が大きくなる。配線容量差が大きい場合、配線遅延を招いてしまうおそれがある。
【００４３】
また、本実施の形態では表示領域１０の左右両側に共通配線の引出し配線１５が形成されている。共通配線の引出し配線１５は表示領域内においてそれぞれのゲート配線１４０の間に形成された共通配線（図示せず）を額縁領域９において接続させている。共通配線の引出し配線１５はソースドライバＩＣ側の基板端部１７とゲートドライバＩＣ側の基板端部１８にそれぞれＹ方向に沿って形成されている。共通配線の引出し配線１５は表示領域１０の上下方向全体に渡って、表示領域１０と隣接して設けられている。ソースドライバＩＣ側の基板端部１７に設けられた共通配線の引出し配線１５ａは一定の幅で表示領域１０の左側に設けられている。一方、ゲートドライバＩＣ側の基板端部１８に設けられた共通配線の引出し配線１５ｂは表示領域１０の右側に設けられている。この共通配線の引出し配線１５はゲート配線１４０と異なる層で形成されているため、引回し配線１４１とは絶縁されている。共通配線の引出し配線１５はＹ方向に沿って形成される。共通配線はゲート配線１４０と同じ層の金属膜で形成され、引出し配線１５とはコンタクトホールを介して形成されている。
【００４４】
共通配線の引出し配線１５ｂは配線容量差を低減するため、一部がＸ方向に延設されている。この延設されている部分はゲート配線１４１ｂと交差する交差電極１５ｃとなる。交差電極１５ｃは第２の領域１０ｂに対応する領域に形成されている。すなわち、共通配線の引出し配線１５ｂの一部は共通配線の引出し配線１５ａよりも幅広に設けられている。共通配線の引出し配線１５ｂは境界線１６の近傍を境に幅が変わるよう形成されている。第１の領域１０ａに対応するほとんどの領域では、共通配線の引出し配線１５ｂは共通配線の引出し配線１５ａと同じ幅となっている。一方、第２の領域１０ｂに対応するほとんどの領域では、引出し配線１５ｂは引出し配線１５ａよりも幅広に形成されている。
【００４５】
共通配線の引出し配線１５ｂの一部には交差電極１５ｃが形成されているため、引回し配線１４１ｂと共通配線の引出し配線１５ｂとが交差する面積が大きくなる。引回し配線１４１ａは共通配線の引出し配線１５ａとは交差していないがソース配線１３０と交差している。この引回し配線１４１ｂの交差面積と引回し配線１４１ａの交差面積とを略等しくするよう交差電極１５ｃを形成する。これにより、引回し配線１４１ｂの配線容量が増加して、引回し配線１４１ａとの配線容量差を低減することができる。交差電極１５ｃが引回し配線１４１ｂと重なるよう、引出し配線１５ｂの一部がＸ方向に延設される。すなわち、交差電極１５ｃが引回し配線１４１ｂを重なるように、引出し配線１５ｂが幅広に設けられる。
【００４６】
この引回し配線１４０ｂの配線容量の増加量はソース配線１３０と引回し配線１４１ａとが交差することによって生じる配線容量の増加量に基づいて決定される。交差電極１５ｃの長さすなわち引出し配線１５ｂの幅広部分の長さを調整することによって、引回し配線１４０ｂの配線容量と引回し配線１４１ａの配線容量が略等しくすることができる。これにより、第１の領域１０ａと第２の領域１０ｂと配線容量に基づく配線遅延の差を低減することができる。
【００４７】
上述の構成により、配線容量差を表示領域内の配線容量の半分以下とするができる。すなわち、すなわち、最も配線容量の高いゲート配線１４０の配線容量（引き回し配線１４１を含む）をＣｈ、最も配線容量の低いゲート配線１４０（引き回し配線１４１を含む）の配線容量をＣｌ、表示領域内におけるゲート配線１４０の配線容量（引き回し配線１４１を含まない）をＣｄとして場合、（Ｃｈ−Ｃｌ）≦Ｃｄとすることができる。これにより、配線遅延を低減することができ、表示品質を向上することができる。
【００４８】
上述の説明では交差電極１５ｃは引出し配線１５ｂの一部を延在させることにより形成されたが、電源を駆動するためのグランド配線の一部により形成してもよい。例えば、共通配線と異なる電位でゲートドライバＩＣ１４又はソースドライバＩＣ１３に接続されるグランド配線の一部を延設して交差電極を設けることができる。ゲート配線１４１ｂとの交差する領域の面積を広くすることができ、配線容量差を低減することができる。
【００４９】
上述の説明ではゲート配線１４０の引回し配線１４１を表示領域１０の左右両側に設けたが、ソース配線１３０の引回し配線を表示領域の両側に設けてもよい。この場合、ゲートドライバＩＣ１４とソースドライバＩＣ１３とが置き換わった構成となる。
【００５０】
なお、上述の実施の形態１と実施の形態２を組み合わせて実施することにより、配線遅延差を軽減することができる。すなわち、図２に示す構成において、引回し配線１４１ｂに折返し部を設けてもよい。この場合、配線抵抗差及び配線容量差について別々に改善するよりも、配線の時定数について最適化することが望ましい。すなわち、第１の領域１０ａと第２の領域１０ｂとの時定数の差が小さくするように配線のレイアウトを設計することが望ましい。
【００５１】
なお、実施の形態１及び実施の形態２では液晶パネルについて説明したが、上記以外の様々なタイプの液晶表示装置、あるいは、有機ＥＬ表示装置、無機ＥＬ表示装置などの他の表示装置にも適用することができる。
【符号の説明】
【００５２】
１  液晶パネル、８  アレイ基板、９  額縁領域、１０  表示領域、
１０ａ  第１の領域、１０ｂ  第２の領域、１１、制御回路、
１３  ソースドライバＩＣ、１４  ゲートドライバＩＣ、
１５  共通配線の引出し配線、１５ｃ  交差電極、１６境界線
１７  ソースドライバＩＣ側の基板端部、１８  ゲートドライバＩＣ側の基板端部、
１９  折返し部、２０  交差部、
１３０  ソース配線、１４０  ゲート配線、１４１  引回し配線
【図１】
2010079314.tif 000003
【図２】
2010079314.tif 000004